【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
一つ以上の支持体と前記複数の装飾片を有し、各支持体は、装飾片を接合し保持するためにその長さ方向に配置した複数の横方向の切り欠きを有する長手の部材を備え、各切り欠きは一つ以上の切り込み縁部を有することを特徴とするパネル。
【請求項２】
前記切り込み縁部は前記装飾片を保持する形状であることを特徴とする、請求項１に記載のパネル。
【請求項３】
前記各切り欠きの切り込みは歯付き切り込みであることを特徴とする請求項２に記載のパネル。
【請求項４】
前記支持体は概ねＵ−字形状の支持体であることを特徴とする請求項１乃至請求項３のうち、いずれか１に記載のパネル。
【請求項５】
一つ以上の支持体と複数の装飾片を有し、各支持体は、装飾片を受容し保持するためにその長さ方向に配置した複数の横方向の切り欠きを有する長手の部材を備え、前記各支持体は略Ｕ字形状の断面を有することを特徴とするパネル。
【請求項６】
前記一つ以上の長手の支持体とそれぞれが複数の切り欠きを内部に形成した背面を有する複数の装飾片を有し、各長手の支持体は、２つ以上の装飾片の切り欠きの内側に接合されると共に、切り欠きの形状に合う断面形状を有することを特徴とするパネル。
【請求項７】
各切り欠きが、長手の支持体が背面に垂直に移動して切り欠きから外れないように防ぐ形状であることを特徴とする請求項６に記載のパネル。
【請求項８】
前記各切り欠きが、あり継ぎ形状であることを特徴とする請求項７に記載のパネル。
【請求項９】
前記長手の支持体は、前記長手の支持体に結合する及び／又は表具を内外壁または天井に装着するための一つ以上の結合部材と係合するように構成されたことを特徴とする請求項６乃至請求項８のうち、いずれか１に記載のパネル。
【請求項１０】
前記パネルがモジュラーであり、一枚以上の同様のパネルとともに設置されるように構成されていることを特徴とする請求項１乃至請求項９のうち、いずれか１に記載のパネル。
【請求項１１】
前記長手の支持体は、前記パネルの一縁部から突出してパネルの反対側縁部には凹部を備えるように配置されているので、同様のパネルとともに設置すると前記長手の支持体がパネル間の結合部と重なることを特徴とする請求項１乃至請求項１０のうち、いずれか１に記載のパネル。
【請求項１２】
前記装飾片が平行且つ間隔をあけて配置されていることを特徴とする請求項１乃至請求項１１のうち、いずれか１に記載のパネル。
【請求項１３】
前記装飾片は、その幅が支持体に略垂直となり、各装飾片はその厚みより幅が実質的に広くなるように支持体に対して配置されていることを特徴とする請求項１乃至請求項１２のうち、いずれか１に記載のパネル。
【請求項１４】
前記パネルは内外壁または天井表装パネル、又は内外スクリーンパネルであることを特徴とする請求項１乃至請求項１３のうち、いずれか１に記載のパネル。
【請求項１５】
前記支持体は押し出し成形品であることを特徴とする請求項１乃至請求項１４のうち、いずれか１に記載のパネル。
【手続補正２】
【補正対象書類名】明細書
【補正対象項目名】全文
【補正方法】変更
【補正の内容】
【発明の詳細な説明】
【発明の名称】装飾片を含む表装
【技術分野】
【０００１】
本発明は、表装に関し、特に、内外表装及び複数の装飾片を有するスクリーンに関する。
【背景技術】
【０００２】
居住用及び商業用両方の建物におけるインテリアとして室内の壁や天井の表面に内張りを行うことは、従来より知られている。これらには様々な形態がある。もっとも一般的なものとして、一般的に平坦かつ平滑な紙で覆われた表面を有し、縁部がわずかに傾斜している石膏系の壁板からなる壁や天井を被覆するものがある。取付け時には、傾斜した縁部を突き合わせ、その後、一般的には継ぎ目のない外見を呈するように継目として石膏系の合成物を充填し、その後塗装するか、または壁紙を貼る。
【０００３】
従来、壁をさらに装飾的に、または個性的に仕上げたい人々は、羽目板を貼ることができる。羽目板は、一般的に内装壁の壁板の上に、装飾を目的として取り付ける。羽目板に使用する材料は、木材であることが多いが、パーティクルボードや、圧縮金属シート、または、石膏系の成形品でもよい。
【０００４】
伝統的に使用される装飾用表装の別のタイプとして、木の羽目板がある。こうした羽目板は、例えば、パネルに彫刻のデザインが彫り込まれているものや、切り込まれているものなどでもよい。
【０００５】
さらに別の周知の種類としては、複数の平行に間隔をあけた木材片が個別に天井壁板の上に固定されているものがある。このような仕上げは、音響上有利な付加価値がある。
【０００６】
同様の装飾が内外スクリーンや外壁及び表面羽目板などにも存在する。
【先行技術文献】
【特許文献】
【０００７】
【特許文献１】米国特許第４７３８０６６号明細書
【特許文献２】仏国特許出願公開第２７６２６３０号明細書
【特許文献３】米国特許第３９０３６７１号明細書
【発明の概要】
【発明が解決しようとする課題】
【０００８】
しかしながら、装飾スクリーンや内外壁及び天井の仕上げは、通常、ある深刻な欠点を有する。それは、その制作に労力がかかるということと、その結果、高価であるということである。
【０００９】
さらに、商業的な環境では、吊り天井や、モジュラープラスチック、金属または石膏系の天井タイルまたはパネルの使用が一般的である。こうしたタイルやパネルは一般的に同じであるが、平坦であり、最小限の装飾が設けられ、暖かく自然な外見であることは稀である。また、これらは重量があることが多く、設置が大変で音響吸収性に劣る。
【００１０】
本発明の目的は、上記の問題のうち、少なくともいくつかの問題を解決もしくは少なくとも取り組むことができる、スクリーンまたは内外表面仕上げとして使用する改良された、費用効果の高い、装飾パネルシステムを提供することにある。あるいは、本発明の目的は、少なくとも公共に有効な選択肢を提供することにある。
【課題を解決するための手段】
【００１１】
まず第１の特徴としては、本発明は、それぞれが複数の装飾片と、装飾片を支持する一つ以上の横方向支持体を有するモジュラーパネルを備え、前記パネルは、支持枠組みに取り付けられ、目立たせないように構成されたモジュラーパネルシステムを提供する。
【００１２】
好ましくは、パネルを枠組みに取り付ける際、各装飾片の対向端部が枠組みの少なくとも一部を隠す。
【００１３】
好ましくは、各装飾片の少なくとも一端が、パネルが枠組みに取り付けられると、各装飾片の対向縁部が枠組み部材の周囲に延在して隣接するパネル上の片の縁部の間に枠組み部材の幅より小さい隙間を形成するように切り込まれている。
【００１４】
好ましくは、パネルは、パネル間の結合部を隠すように構成されている。
【００１５】
好ましくは、設置したパネル上の装飾片が装飾片の略均一な表具を形成する。
【００１６】
好ましくは、パネルが枠組みに固定されることなく枠組みによって支持されるように構成されている。
【００１７】
好ましくは、パネルが、隣接するパネルに固定されることなく設置されるように構成されている。
【００１８】
好ましくは、装飾片は、互いに平行に配置されている。
【００１９】
好ましくは、片のパネルの縁部に平行に隣接する位置は、片と、隣接して設置されたパネルの隣接する片の間の間隔が、同じパネル上の２つの隣接する片の間隔と略同等である。
【００２０】
好ましくは、各パネルは裏打ちを備え、組み立てた状態のパネルシステムにおいて、少なくとも支持体と裏打ちの見える部分が同じ色である。
【００２１】
好ましくは、パネルを支持する枠組みを有し、組み立てた状態のパネルを設けた表具において、少なくとも枠組みの見える部分が支持体及び裏打ちと同じ色である。
【００２２】
好ましくは、枠組み、支持体、及び裏打ちは、暗い色、好ましくは黒である。
【００２３】
好ましくは、裏打ちは、音響材である。
【００２４】
好ましくは、枠組みと横方向支持体は、枠組みと横方向支持体が目立たないように着色されている。
【００２５】
好ましくは、組み立てた状態のパネルシステムにおいて、少なくとも支持体及び枠組みの見える部分が同じ色である。
【００２６】
好ましくは、モジュラー天井パネルシステムである。
【００２７】
好ましくは、支持枠組みが標準天井グリッド枠組みである。
【００２８】
そして第２の特徴としては、本発明は、それぞれが複数の装飾片と、装飾片を支持する一つ以上の横方向支持体を有するモジュラーパネルを備え、前記パネルは、支持枠組みに取り付けられると共に、前記支持枠組みと横方向支持体は、枠組みと横方向支持体を目立たせないように着色されて構成されているモジュラーパネルシステムを提供する。
【００２９】
また第３の特徴としては、本発明は一つ以上の支持体と複数の装飾片を有し、各支持体は、片を受容し保持するためにその長さ方向に配置した複数の横方向の切り欠きを有する長手の部材を備え、各切り欠きは一つ以上の切り込み縁部を有することを特徴とするパネルを提供する。
【００３０】
好ましくは、パネルは内外壁または天井表装パネルである。
【００３１】
または、パネルは内外スクリーンパネルのいずれかである。
【００３２】
好ましくは、切り込み縁部は装飾片を保持する形状である。
【００３３】
好ましくは、各の切り込みは歯付き切り込みである。
【００３４】
好ましくは、パネルは、モジュラーパネルであり、一枚以上の同様のパネルとともに設置するように構成される。
【００３５】
好ましくは、各パネルの縁部は支持体構造を受容する形状である。
【００３６】
好ましくは、装飾片は、木材、金属またはプラスチック材から形成される。
【００３７】
好ましくは、支持体は概ねＵ−字形状の支持体である。
【００３８】
好ましくは、支持体は金属から形成される。
【００３９】
好ましくは、支持体は押し出し成形品である。
【００４０】
好ましくは、装飾片は平行且つ間隔をあけて配置されている。
【００４１】
好ましくは、装飾片は、幅が支持体に略垂直となり、各装飾片は厚みより幅が実質的に広くなるように支持体に対して配置されている。
【００４２】
また、第４の特徴としては、本発明は、一つ以上の支持体と複数の装飾片を有し、各支持体は、装飾片を受容し保持するためにその長さ方向に配置した複数の横方向を有する長手の部材を備え、各支持体は略Ｕ−字形状の断面を有することを特徴とするパネルを提供する。
【００４３】
さらに、第５の特徴としては、本発明は、一つ以上の長手の支持体とそれぞれが複数の切り欠きを内部に形成した背面を有する複数の装飾片を有し、各長手の支持体は、２つ以上の装飾片の切り欠きの内側に受容されると共に、切り欠きの形状に合う断面形状を有することを特徴とするパネルを提供する。
【００４４】
好ましくは、パネルは、内外壁もしくは天井表装パネルである。
【００４５】
または、パネルは、内外スクリーンパネルのいずれかである。
【００４６】
好ましくは、各切り欠きが、長手の支持体が背面に垂直に移動して切り欠きから外れないように防ぐ形状である。
【００４７】
好ましくは、各切り欠きが背面において切り欠きの最も幅広の点より狭い形状である。
【００４８】
好ましくは、各切り欠きが、あり継ぎ形状である。
【００４９】
好ましくは、各切り欠きは、長手の支持体上に対応する突起を接合するように構成された一つ以上の凹部を有する。
【００５０】
好ましくは、長手の支持体は、押し出し成形品として形成される。
【００５１】
好ましくは、各装飾片は、固定具または接着剤を使って適切に前記長手の支持体に固着される。
【００５２】
好ましくは、長手の支持体は、長手の支持体に結合する及び／又は表具を内外壁または天井に装着するための一つ以上の結合部材と係合するように構成される。
【００５３】
好ましくは、長手の支持体は、押し嵌めを利用して結合部材と係合する。
【００５４】
好ましくは、結合部材は押し出し成形品として形成される。
【００５５】
好ましくは、結合部材は略Ｔ−字形状の押し出し成形品である。
【００５６】
好ましくは、結合部材が裏打ち材を支持するように配置される。
【００５７】
好ましくは、パネルがモジュラーであり、一枚以上の同様のパネルとともに設置されるように構成されている。
【００５８】
好ましくは、各モジュラーパネルは少なくとも２つの長手の支持体を有する。
【００５９】
好ましくは、長手の支持体は、パネルの一縁部から突出してパネルの反対側縁部には凹部を備えるように配置されているので、同様のパネルとともに設置すると長手の支持体がパネル間の結合部と重なる。
【００６０】
好ましくは、結合部材は、長手の支持体と結合する及び／又は表具を壁または天井に装着するための長手の支持体と係合するとともに、これらの結合部材は２枚以上のパネルにまたがる。
【００６１】
好ましくは、装飾片が木材、エンジニアードウッド、金属またはプラスチック材から形成される。
【００６２】
好ましくは、装飾片が平行且つ間隔をあけて配置されている。
【００６３】
好ましくは、装飾片は、その幅が支持体に略垂直となり、各装飾片はその厚みより幅が実質的に広くなるように支持体に対して配置されている。
【００６４】
本発明は、建具類業界における壁用内張り、天井用内張り、個人保護用スクリーン、ガレージドアパネル、日除け、窓用装備、外面被覆、スクリーン、鎧戸などの表具に使用可能である。
【００６５】
本発明は鎧戸または鎧板などのような長い木材を、正面から見た際に、あたかも支持されていないように見せることができる。
【００６６】
各国によって、「を備える」「を備えている」のような表現は、排他的または内包的意味を有すると認められる。本明細書の目的のため、また、特に記載がない限り、これらの用語は、内包的な意味を有するよう、意図したものである。例えば使用が直接言及されている、列記した構成部品だけでなく、その他の指定されていない構成部品や要素も含むものである。
【図面の簡単な説明】
【００６７】
本発明は下記の図面を参照しつつ、例示のみを目的として説明するものである。
【図１】一実施形態によるモジュラーパネルの背面図である。
【図２】図１のパネルの側面図である。
【図３】図１のパネルの第２の側面図である。
【図４】壁、または天井表装パネルの側面図である。
【図５】吊り天井支持具によって支持された２枚の天井パネルの側面図である。
【図６】別の実施形態によるパネルの端面図である。
【図７】図６のパネルの平面図である。
【図８】装飾片における切り欠き及び切り欠きに係合する長手の支持体を示す図である。
【図９】長手の支持体及び結合部材を示す図８に類似した図である。
【図１０】図９に類似した図であり、裏打ち材を保持するための結合部材を示す図である。
【図１１】図１０に類似した図であり、裏打ち材を示す図である。
【図１２】さらに別の実施形態による長手の支持体と装飾片を示す図である。
【図１３】図１２の結合部材を示す図である。
【図１４】２枚のモジュラーパネルがどのように設置されるかを示す図である。
【図１５】フレームに取り付けられた本発明によるパネルの、さらに別の実施形態を示す図である。
【図１６】図１５に示すフレーム内のパネルを取り付けるためのメカニズムを示す図である。
【図１７】図１５のパネルの枠への取付けに使用する押し出し成形品を示す図である。
【図１８】モジュラーパネルシステムのさらに別の実施形態を示す側面図である。
【図１９】図１８の側面図に垂直な側面図である。
【図２０】図１８のモジュラーパネルシステムを前から見た図である。
【図２１】図１８のモジュラーパネルシステムを後から見た平面図である。
【図２２】図１８のモジュラーパネルシステムを前から見た平面図である。
【図２３】サービスパネルを含む、さらに別の実施形態の側面図である。
【図２４】別のタイプのサービスパネルを示す実施形態を示す側面図である。
【図２５】浮遊系天井の施行に適用する実施形態を示す図である。
【図２６】モジュラーパネルシステムを壁に取り付けるための取付け施工を示す図である。
【図２７】さらに別の実施形態によるパネルを示す図である。
【発明を実施するための形態】
【００６８】
図１は、内外壁または天井用の表具またはスクリーンに適した第１の実施形態によるパネル１の背面図である。パネル１は、複数の横方向支持体３によって支持される複数の装飾片２を有する。支持体３は、一般的に長尺であり、多数の装飾片２にまたがって配されている。
【００６９】
パネル１は、現場で設置しても良いが、好ましくは、それぞれが複数の装飾片２と支持体３を有し、略均一な表具となるように設置可能な多数のモジュラーパネルを形成する。
【００７０】
図２は、図１のパネルの側面図である。支持体３は、一般的に図２に示すようなＵ字形状でよく、また、アルミニウムやスチールのような適切な金属、もしくは適した剛性プラスチックから形成することができる。支持体３は、打ち抜き、ロール成形、あるいは、他の適した方法で形成すればよい。
【００７１】
図３は、図２を左方向から見た詳細な側面図である。同図は、装飾片２が支持体３の切り欠き４内に支持されている様子を示す。切り欠き４は、それぞれ、装飾片２をより効果的に保持できるような切り込まれた縁部を有している。図３に示すように、各縁部に切り込んだ一連の歯５からなる切り出しを有している。
【００７２】
壁または天井の表具を組み立てるには、適当な治具に装飾片を保持し、支持体３を木槌またはハンマーで定位置に打ち込むか、または適した機械で定位置に押し込めばよい。
【００７３】
装飾片２は木材、エンジニアードウッド（中密度段ボール原紙等）、プラスチックまたは他の適した材料から形成すればよい。
【００７４】
図４は、モジュラーパネルの側面図であり、それぞれが支持体３の歯付き切り欠き４に保持された、一連の装飾片２を示す図である。
【００７５】
切り込まれた切り欠き４により、それぞれの装飾片を固定するという手間のかかる作業を必要とせず、装飾片２をさらに確実に保持することができる。ねじ等を使って各片を支持体に固定する代わりに、各片を単に歯付き切り欠きの中の定位置にセットするだけでよく、片を効果的に保持することができる。よって、片と支持体は、容易に組み立て可能である。
【００７６】
図５は、それぞれが上記のように形成された２枚のモジュラー天井表装パネル７を示す図である。各パネル７の縁部には、吊り天井支持体９または類似した支持構造物を受容するための凹部８が形成されている。異なるタイプの支持構造体用の凹部８の代わりに異なる切り込みを使ってもよい。
【００７７】
よって、各装飾片の少なくとも一端は、隣接する装飾片と対向して配された装飾片の縁部である対向縁部８ａが、吊り天井支持体９の縁部を超えて延在するように切り込まれている。よって、隙間８ｂは、吊り天井支持体９の底部９ａの幅より小さい。これにより、吊り天井支持体９を部分的に隠すだけでなく、隣接するパネル上の装飾片の端部間の隙間が小さくなる。このことにより、連続した表具または連続した装飾片だと錯覚させる効果が生まれる。
【００７８】
図５に示す実施形態では、切り込み８の上部が、吊り天井支持体９上に着座することができる面となるため、各片は、吊り天井支持体９によって部分的に支持することもできる。
【００７９】
図６は、さらなる実施形態におるパネル１０を側面から見た端面図である。パネル１０は、複数の横方向支持体１２に支持された複数の装飾片１１を有する。支持体１２は、一般的に長尺であり、多数の片１１にまたがる。
【００８０】
パネル１０は、現場で設置しても良いが、好ましくは、それぞれが複数の片１１と支持体１２を有し、略均一な表具となるように設置可能な多数の類似したパネルと組み合わせる。
【００８１】
装飾片１１は、木材、エンジニアードウッド（中密度段ボール原紙）、金属、プラスチックまたは他の適した材料から形成すればよい。
【００８２】
図７は、スクリーンまたは壁または天井表装パネルの背面図であり、装飾片１１と長手の支持体１２を示す図である。
【００８３】
図８は、一本の装飾片１１の長手方向に沿って切断した場合の詳細な断面図である。各片は、その背面１４に形成された１本以上の切り欠き１３を有する。切り欠きは、好ましくは背面ではその最幅広点より狭く、図示のような、あり継ぎ形状で構成されていても良い。支持体１２は、切り欠き１３の中に嵌合するような形状であり、切り欠きの形状により、支持体１２が切り欠き１３から矢印１５で示す方向に引っ張りだされるのを防ぐ。
【００８４】
また、支持体１２は、装飾片を支持体に対して適当な位置に保持するため、釘、ねじなどのような固定具１６を使って装飾片１１に固定されている。あるいは、適当な接着剤を使用しても良い。また、別の代替案として、圧着法を使用して支持体１２と装飾片１１を接続しても良い。この方法では、支持体１２または装飾片１１と一体に形成された材料を使用して圧着形成してもよいし、あるいは、別の要素を圧着して支持体と装飾片を接続しても良い。
【００８５】
パネルを組み立てるには、片１１を適当な治具にしっかり保持しながら支持体１２を切り欠き１３の中の定位置までスライドさせる。そして固定具１６を使って支持体１２を片１１に固着する。
【００８６】
図９は、図８と類似した図である。しかし、この実施形態では、支持体１２は、類似した支持体１２への結合及び／又は表具を壁または天井に取り付けるために結合部材２０と係合している。支持体１２は、結合部材２０上の対応する突起２２に、単純に押し嵌めで係合する一対の突起２１が形成されている。結合部材２０は、図示のごとく、長手のＴ字状として形成することができる。これにより、設置した表具の剛性が良好となる。あるいは、結合部材は、適した断面を有する木材または他の適した材料で形成してもよい。
【００８７】
結合部材２０は、パネル同士の結合部分を隠すだけでなく、釘その他の固定具１６も隠し、これは表具を後ろから見ることができる場合に重要となる。
【００８８】
長手の支持体１２と結合部材２０は、容易に製造できるよう、押し出し成形してもよい。
【００８９】
図１０は、図８及び図９と類似した図である。しかし、この実施形態では、結合部材２０は、裏打ち材を支持できるように配置されている。結合部材２０は、その背面から突出するクリップ２５が形成されている。クリップ２５は、図１１に示すように、裏打ち材２６を受容する。表具を設置するとき、裏打ち材２６は、装飾片１１の間から見える。裏打ち材は、アクリルまたは色接着あるいは他の適した材料である。裏打ち材は、例えばガレージのドアなどに表具を使用するときなどに特に望ましい。また、裏打ち材は、天井や壁の照明効果のために使用することもできる。
【００９０】
図１２及び図１３は、長手の支持体１２のさらに別のタイプを示す。長手の支持体１２は、概して図９から図１１の長手の支持体に類似しているが、あり継ぎ型の代わりに概ね長方形の断面を有する。長手の支持体が切り欠きから外れないようにするために、２つの突起２７が設けられ、切り欠きにはそれに対応する一対の凹部が設けられている。
【００９１】
図１４は、一実施形態による壁または天井表装のモジュラー性について表わしている。２枚の類似したパネル１０を横並びに設置する。第１のパネルの長手の支持体１２は、一方の縁部にわずかな凹部３０を設けて配置され、一方、他のパネルの支持体１２は、その凹部３０に接合するように僅かに突出部３１が突出している。結合部に隣接する装飾片３２、３３の間隔は、その他の２枚の隣接する装飾片１１の間の間隔と略同等である。長手の支持体１２の結合部は、装飾片３２によって隠れる。これにより、モジュラーパネル間の結合部が見えなくなり、これらのパネルを使用することにより、略均一の表具が可能となる。
【００９２】
図１５乃至図１７は、表具を枠部材３５に嵌合するための構造を示す。枠部材は、扉枠または他の枠組みでよく、また、表具を後から装着する現存の枠組みでも、特設の枠組みでもよい。
【００９３】
図１７に詳細に示す結合具３６は、装飾片１１の上に被せるように構成されたスリーブ部３７を備える。結合具３６は、固定具３８を使ってこれらの装飾片に固着することができる。結合具３６は、さらに枠部材３５の凹部に接合するように構成された突起４０を有する。凹部は、結合具３６を設置した後、好ましくは、図１５の結合後の状態に示すように、枠部材の残りの部分と同じ材料から形成された小片４１を使って閉鎖することができる。結合具３６は押し出し成形で形成してもよい。
【００９４】
図１８は、多数のモジュラーパネル５０が、標準的なＴ−グリッド吊り天井枠組みのような枠組み５１によって支持された、さらに別の実施形態を示す。各モジュラーパネルは、横方向支持体５３（図１８には１つのみ示す）によって支持された多数の装飾片５２を有する。横方向支持体は、Ｔ−グリッド上に着座することができる。
【００９５】
モジュラーパネルシステムは、さらに、裏打ち５５を有していてもよい。裏打ち５５は、好ましくは、例えばＬａｎｔｏｒ社の布層などの適した表面仕上げ層を有するポリエステル音響バットのような音響材でもよい。裏打ち５５は、装飾片５２の間から見える。
【００９６】
支持体５３と枠組み部材５１、または下から見える枠組みの部分は、同じ色でもよい。好ましくは支持体５３と枠組み部材は、黒のような暗色がよい。多くの設置例において、これらの部材は背景に溶け込む、またはカモフラージュされ、装飾片が支持されずに宙に浮かんでいるような錯覚を引き起こす。裏打ち５５は、支持体５３及び枠組み部材５１と同じ色にすれば、さらにこの錯覚の効果を増すことができる。
【００９７】
好ましくは、設置しやすいように、また、パネルの背後のスペースにアクセスしやすいように、パネルは枠組みまたは隣接するパネルに固定しない。
【００９８】
一実施形態では、Ｔ−グリッドが標準枠組み寸法を決定する。例えば、Ｔ−グリッドは、多数の１２００ｍｍ×６００ｍｍの長方形を形成し、それぞれが単一のパネルモジュールを支持している。この構成は、標準寸法の裏打ち材でも使用できるため、設置が簡単であるという利点を有する。裏打ち材５５は、Ｔ−グリッド部材５１の縦部材５６によって決定するスペース内に自然に着座する。
【００９９】
パネル間の接合部に隣接する装飾片５７、５８は、他の２つの隣接する装飾片５２の間の距離と同じ距離５９の間隔を有する。これにより、結合部を隠すことができ、多数のモジュラーパネルから形成された表具が下からは均一に見えるようになる。
【０１００】
特に、カモフラージュするために色を合わせた支持体５３、枠組み５１、及び裏打ち５５を組み合わせれば、浮き構造の装飾薄板を連続的に、均一に被覆しているように錯覚させることができる。このパネル間の結合部の周りの色の一致及び／又は装飾片の間の間隔は、図１乃至図１７に示すパネル構造のいずれにも適用することができる。
【０１０１】
図１９は、図１８に示すモジュラーパネルシステムを側面から見た図であり、裏打ち５５がＴ−グリッド部材５１の縦部材５６によって形成されたスペースに上下幅が合うように配されている様子をここでも示している。
【０１０２】
図２０は、図１８に示すモジュラーパネルシステムを下から見た一部破断断面図である。この図は、枠組み（例えばＴ−グリッド部材５１）と装飾片５２を示す。この図では、装飾片は、中心のパネルの一角には示されておらず、裏打ち５５が見えている。裏打ち５５は、長方形状で形成され、Ｔ−グリッド部材５１ａ、５１ｂ、５１ｃ、５１ｄの縦部材（図２０には図示せず）によって形成される長方形型の升目に配されている。
【０１０３】
図２１は、裏打ち５５を除く、モジュラーパネルシステムを上部から見た平面図である。同図には、装飾片５２、支持体５３及びＴ−グリッド部材５１ａ、５１ｂ、５１ｃ及び５１ｄを示している。裏打ち５５を配するための長方形型の升目がはっきりと見える。装飾片の間の隙間もはっきりと見え、裏打ち材が設置されたときにパネルの下からどのように見えるかを示している。
【０１０４】
図２２は、モジュラーパネルシステムを下から見た平面図であり、ここでもＴ−グリッド部材５１ａ−５１ｄ及び装飾片５２を示す。
【０１０５】
モジュラーパネルは、好ましくは枠組みや隣接するパネルには固定しないので、設置した表具の背後のスペースへのアクセスが必要となった時に、枠組みからパネルを容易に持ち上げることができる。しかし、状況によっては、専用のサービスパネルを設け、設置した表具の背後のスペースにアクセスできるようにしておくと便利である。
【０１０６】
図２３は、Ｔ−グリッド部材５１に支持された多数のパネル５０を含む表具が設置された状態を示す。表具のモジュラー性と、その標準的枠組みへの設置を維持するため、２つの標準Ｔ−グリッド部材５１間には、別のＴ−グリッド部材６４を設置してもよい。標準幅以下のパネル６５を、一方の標準Ｔ−グリッド部材５１と別のＴ−グリッド部材６４との間に設置する。もう一方の標準Ｔ−グリッド部材５１と別のＴ−グリッド部材６４の間には、サービスパネル６６を設置する。この場合も、枠組みには固定せず、容易に持ち上げて表具の背後のスペースにアクセスできるようにしておくのが好ましい。
【０１０７】
図２４は、底面が装飾片５２の底縁部と面一になるような形状の代替サービスパネル６７を示す。
【０１０８】
図２５は、どのようにしてモジュラーパネルシステムを浮遊系天井の施工に適用できるかを示す。標準Ｔ−グリッド部材７０を浮遊系天井の縁部７１に固定し、上記のようにモジュラーパネル５０を支持することができる。
【０１０９】
図２６は、オフセット壁取付け具７３を使用してＴ−グリッド部材を取り付けた実施形態を示す。オフセット取付け具７３は、壁用角固定具７５の上方に間隔をあけて壁７４のＴ−グリッドより高い位置に取り付ける。パネル７６の装飾片５２の端部７７は壁用角固定具に設置される。これにより、設置した表具と壁７４との接合点が綺麗に見え、装飾片５２の端部を覆うことができる。壁用角固定具７５が黒である場合、隙間が影のような様相も呈することができる。
【０１１０】
図２７は、多数のパネル８１、８２が多数の平行な枠組み部材８３、８４、８５に接合するように構成された別のパネルシステム８０を示す。枠組み部材は、ここでも標準のＴ−グリッド部材でよい。
【０１１１】
しかしながら、この実施形態では、パネル８１、８２は、枠組みに横方向の構造を提供する。枠組みには横方向の部材はないが、各パネルのクロス部材８６、８７、８８が枠組み部材８３、８４、８５と係合するように構成されている。これは、好ましくは、枠組み部材８３、８４、８５の上部に設置されたフック９０または類似した要素をクロス部材８６、８７、８８の各端部に使用することにより実現できる。よって、パネルは、パネルシステムに横方向の剛性を与えられる。
【０１１２】
この実施形態は、予め形成されたパネルが現存の、または予め設置した枠組みに取り付けられるため、モジュラーシステムにとどまる。パネルは、パネルの重さとクロス部材８６、８７、８８の端部の構成によってのみ枠組みに取り付けられる。枠組み８３、８４、８５及びクロス部材８６、８７、８８は、結合部の周囲の装飾片８９の間隔によって、また上記の色の施工によって隠すことができる。
【０１１３】
しかしながら、ほとんどの現存の枠組みには、既に定位置に設置した横方向の枠組み部材を有する完成されたＴ−グリッド部材を有している。従って、後から施工する場合には、図１乃至図２６に示した実施形態が好ましい。
【０１１４】
本発明は、連続片によって提供される外観に近く、モジュラーシステムの実用性を備えた表具を作り出すことができるモジュラーパネルシステムを提供する。
【０１１５】
このパネルには、木片または押し出し成形品などのような、加工が容易な構成品を使用することができる。構成品を容易に接続してパネルを形成することができる。
【０１１６】
本発明において、壁及び天井の表具について説明したが、本発明は、外装材、ガレージのドアを含むドア、日除け、雨戸、目隠し（プライバシー保護用目隠しなど）等においても応用が可能である。
【０１１７】
防音材または他の音響要素を装飾片の背後に設置することができる。例えば、視覚的、または照明効果等、他の効果を得るため他の裏打ちを設けても良い。
【０１１８】
各図面では、装飾片は、その支持体に対して垂直に配置されている様子を示しているが、装飾片は斜めに配置してもよい。こうすることにより、前から見た際に下層構造を隠すことができるという効果を有する。
【０１１９】
本発明について、その実施形態の説明によって示し、実施形態を詳細に説明してきたが、これは、出願人が、本発明の範囲をその詳細に限定もしくは制限することを意図しているものではない。さらなる利点や変更が可能であることは当業者にとって明らかである。よって、本発明は、その広い範囲において、これまで示し、説明してきた特定の詳細部分、代表的な装置や方法、及び具体例に限定されるものではない。これにより、出願人の全体的な発明的概念の精神と範囲を逸脱することなく、上記の詳細部分からの派生は可能である。
【符号の説明】
【０１２０】
１  パネル
２、１１、３２、３３、５２、５７、５８、８９  装飾片
３、１２、５３  支持体
４、８、１３  切り欠き
８ａ  対向縁部
８、３０  凹部
３５  枠部材
５１、８３、８４、８５  枠組み部材
５５  裏打ち材
７１  縁部